(57)【要約】  アップリンクおよびダウンリンクワイヤレス通信のための方法および装置について提示する。たとえば、ユーザ機器におけるアップリンクモバイル通信の方法が提示され、この方法は、第1のボイスパケット送信時間間隔を有する2つの連続ボイスパケットを、第2のボイスパケットTTIを有する2つの圧縮ボイスパケットに圧縮することを含み得る。さらに、方法は、第1の専用制御チャネル(DCCH)TTIに対応するシグナリングデータを、第2のDCCH TTIを有する圧縮シグナリングデータに圧縮するステップと、2つの圧縮ボイスパケットおよび圧縮シグナリングデータを多重化して、多重化パケットを形成するステップとを含み得る。さらに、方法は、多重化パケットを第1および第2のサブパケットに分裂させるステップと、サブパケットTTIを有する第1のサブパケット間隔中に第1のサブパケットを送信するステップと、第1のサブパケット間隔の後に続く第2のサブパケット間隔中に、第2のサブパケットを送信するステップとを含むことができ、第2のサブパケット間隔はサブパケットTTIを有する。
2017502569.tif 000002
【特許請求の範囲】
【請求項１】
ユーザ機器(UE)におけるアップリンクモバイル通信の方法であって、
第1のボイスパケット送信時間間隔(TTI)を有する2つの連続ボイスパケットを、第2のボイスパケットTTIを有する2つの圧縮ボイスパケットに圧縮するステップと、
第1の専用制御チャネル(DCCH)TTIに対応するシグナリングデータを、第2のDCCH TTIを有する圧縮シグナリングデータに圧縮するステップと、
前記2つの圧縮ボイスパケットおよび前記圧縮シグナリングデータを多重化して、多重化パケットを形成するステップと、
前記多重化パケットを、第1のサブパケットと第2のサブパケットに分裂させるステップと、
サブパケットTTIを有する第1のサブパケット間隔中に前記第1のサブパケットを送信するステップと、
前記第1のサブパケット間隔の後に続く第2のサブパケット間隔中に、前記第2のサブパケットを送信するステップであって、前記第2のサブパケット間隔が前記サブパケットTTIを有する、ステップとを含む方法。
【請求項２】
前記第1のサブパケットおよび前記第2のサブパケットの各々の前記送信に続く時間間隔だけ、送信を一時停止するステップをさらに含む、請求項1に記載の方法。
【請求項３】
前記時間間隔が不連続送信(DTX)間隔を含む、請求項2に記載の方法。
【請求項４】
前記第2のDCCH TTIが前記第1のDCCH TTIの半分に相当する、請求項1に記載の方法。
【請求項５】
前記2つの圧縮ボイスパケットの各々が、前記第1のボイスパケットTTIの半分に相当する第2のボイスパケットTTIを有する、請求項1に記載の方法。
【請求項６】
前記第2のDCCH TTIが、前記第2のボイスパケットTTIの2倍に相当する、請求項1に記載の方法。
【請求項７】
前記第1のボイスパケットTTIは持続時間が20msである、請求項1に記載の方法。
【請求項８】
前記第1のサブパケットおよび前記第2のサブパケットの各々が、前記第2のボイスパケットTTIに相当するサブパケットTTIを有する、請求項1に記載の方法。
【請求項９】
第1のボイスパケット送信時間間隔(TTI)を有する2つの連続ボイスパケットを、第2のボイスパケットTTIを有する2つの圧縮ボイスパケットに圧縮するように構成されたボイスパケット圧縮構成要素と、
第1の専用制御チャネル(DCCH)TTIに対応するシグナリングデータを、第2のDCCH TTIを有する圧縮シグナリングデータに圧縮するように構成されたシグナリングデータ圧縮構成要素と、
前記2つの圧縮ボイスパケットおよび前記圧縮シグナリングデータを多重化して、多重化パケットを形成するように構成された多重化構成要素と、
前記多重化パケットを、第1のサブパケットと第2のサブパケットに分裂させるように構成されたパケット分裂構成要素と、
送信構成要素とを備え、前記送信構成要素が、
サブパケットTTIを有する第1のサブパケット間隔中に前記第1のサブパケットを送信し、
前記第1のサブパケット間隔の後に続く第2のサブパケット間隔中に、前記第2のサブパケットを送信するように構成され、前記第2のサブパケット間隔が前記サブパケットTTIを有する、装置。
【請求項１０】
前記送信構成要素が、前記第1のサブパケットおよび前記第2のサブパケットの各々の前記送信に続く時間間隔だけ、送信を一時停止するようにさらに構成される、請求項9に記載の装置。
【請求項１１】
前記時間間隔が不連続送信(DTX)間隔を含む、請求項10に記載の装置。
【請求項１２】
前記第2のDCCH TTIが前記第1のDCCH TTIの半分に相当する、請求項9に記載の装置。
【請求項１３】
前記2つの圧縮ボイスパケットの各々が、前記第1のボイスパケットTTIの半分に相当する第2のボイスパケットTTIを有する、請求項9に記載の装置。
【請求項１４】
前記第2のDCCH TTIが、前記第2のボイスパケットTTIの2倍に相当する、請求項9に記載の装置。
【請求項１５】
前記第1のボイスパケットTTIは持続時間が20msである、請求項9に記載の装置。
【請求項１６】
前記第1のサブパケットおよび前記第2のサブパケットの各々が、前記第2のボイスパケットTTIに相当するサブパケットTTIを有する、請求項9に記載の装置。
【請求項１７】
アップリンクモバイル通信のための装置であって、
第1のボイスパケット送信時間間隔(TTI)を有する2つの連続ボイスパケットを、第2のボイスパケットTTIを有する2つの圧縮ボイスパケットに圧縮するための手段と、
第1の専用制御チャネル(DCCH)TTIに対応するシグナリングデータを、第2のDCCH TTIを有する圧縮シグナリングデータに圧縮するための手段と、
前記2つの圧縮ボイスパケットおよび前記圧縮シグナリングデータを多重化して、多重化パケットを形成するための手段と、
前記多重化パケットを、第1のサブパケットと第2のサブパケットに分裂させるための手段と、
サブパケットTTIを有する第1のサブパケット間隔中に前記第1のサブパケットを送信するための手段と、
前記第1のサブパケット間隔の後に続く第2のサブパケット間隔中に、前記第2のサブパケットを送信するための手段であって、前記第2のサブパケット間隔が前記サブパケットTTIを有する、手段とを備える装置。
【請求項１８】
前記第1のサブパケットおよび前記第2のサブパケットの各々の前記送信に続く時間間隔だけ、送信を一時停止するための手段をさらに備える、請求項17に記載の装置。
【請求項１９】
前記時間間隔が不連続送信(DTX)間隔を含む、請求項18に記載の装置。
【請求項２０】
前記第2のDCCH TTIが前記第1のDCCH TTIの半分に相当する、請求項17に記載の装置。
【請求項２１】
前記2つの圧縮ボイスパケットの各々が、前記第1のボイスパケットTTIの半分に相当する第2のボイスパケットTTIを有する、請求項17に記載の装置。
【請求項２２】
前記第2のDCCH TTIが、前記第2のボイスパケットTTIの2倍に相当する、請求項17に記載の装置。
【請求項２３】
前記第1のボイスパケットTTIは持続時間が20msである、請求項17に記載の装置。
【請求項２４】
前記第1のサブパケットおよび前記第2のサブパケットの各々が、前記第2のボイスパケットTTIに相当するサブパケットTTIを有する、請求項17に記載の装置。
【請求項２５】
ネットワークエンティティにおけるモバイル通信の方法であって、
ある電力レベルにおいて、第1の送信間隔中にダウンリンク通信チャネル上で1つまたは複数のパケットをユーザ機器(UE)に送信するステップと、
第2の送信間隔に渡って前記ダウンリンク通信チャネル向けのインナーループ電力制御を無効化するステップと、
前記第2の送信間隔中に、前記UEから第1の送信電力制御(TPC)コマンドを受信するステップと、
前記第1のTPCコマンドに基づいて、前記電力レベルを、調節された電力レベルに調節するステップと、
前記調節された電力レベルで、前記ダウンリンク通信チャネル上で前記UEに1つまたは複数のパケットを送信するステップとを含む方法。
【請求項２６】
前記調節された電力レベルで前記1つまたは複数のパケットを前記UEに送信するステップが、前記第2の送信間隔に続く第3の送信間隔中に前記1つまたは複数のパケットを送信するステップを含む、請求項25に記載の方法。
【請求項２７】
前記調節された電力レベルで前記1つまたは複数のパケットを前記UEに送信するステップが、前記第2の送信間隔中に前記1つまたは複数のパケットを送信するステップを含む、請求項25に記載の方法。
【請求項２８】
アップリンク通信チャネルを介して、1つまたは複数のアップリンク送信をUEから受信するステップと、
前記1つまたは複数のアップリンク送信のうちの少なくとも1つに基づいて、ダウンリンクTPCコマンドを生成するステップと、
前記第2の送信間隔中に、前記ダウンリンクTPCコマンドを前記UEに送信するステップとをさらに含む、請求項25に記載の方法。
【請求項２９】
不連続ワイヤレス信号送信のためのインナーループ電力制御の方法であって、
ある電力レベルにおいて、第1の送信間隔中に専用通信チャネル上で1つまたは複数の信号を送信するステップと、
前記第1の送信間隔に続く不連続送信(DTX)間隔中に、前記専用通信チャネル上での送信を一時停止するステップと、
前記DTX間隔中に、送信電力制御(TPC)コマンドを受信するステップであって、前記TPCコマンドが、前記1つまたは複数の信号のうちの少なくとも1つの、品質メトリックに基づく、ステップと、
前記TPCコマンドに基づいて、前記電力レベルを、調節された電力レベルに調節するステップと、
前記DTX間隔に続く第2の送信間隔中に前記専用通信チャネル上で、前記調節された電力レベルで、1つまたは複数のさらなる信号を送信するステップとを含む方法。
【請求項３０】
前記専用通信チャネルがダウンリンク専用通信チャネルまたはアップリンク専用通信チャネルのうちの1つを含む、請求項29に記載の方法。
【発明の詳細な説明】
【技術分野】
【０００１】
優先権の主張
本特許出願は、本出願の譲受人に譲渡され、参照によってここで明白に本明細書に組み込まれている、2014年12月1日に出願した、「CONTROL CHANNEL SIGNALING AND POWER CONTROL WITH DISCONTINUOUS TRANSMISSIONS ON DEDICATED CHANNELS TO REDUCE CURRENT CONSUMPTION DURING VOICE CALLS」と題する非仮出願第14/556,950号、および2013年12月2日に出願した、「CONTROL-CHANNEL SIGNALING AND POWER-CONTROL WITH DISCONTINUOUS TRANSMISSIONS ON DEDICATED CHANNELS TO REDUCE CONSUMPTION DURING VOICE CALLS」と題する仮出願第61/910,735号に対する優先権を主張する。
【背景技術】
【０００２】
ワイヤレス通信ネットワークは、電話方式、ビデオ、データ、メッセージング、ブロードキャスト、などの様々な通信サービスを提供するために広く展開されている。通常、複数のアクセスネットワークであるそのようなネットワークは、利用可能なネットワークリソースを共有することによって複数のユーザ向けの通信をサポートする。そのようなネットワークの一例は、UMTS地上波無線アクセスネットワーク(UTRAN)である。UTRANは、第3世代パートナーシッププロジェクト(3GPP)によってサポートされる第3世代(3G)モバイルフォン技術である、ユニバーサルモバイルテレコミュニケーションシステム(UMTS)の一部として定義された無線アクセスネットワーク(RAN)である。UMTSは、モバイル通信用グローバルシステム(GSM(登録商標):Global System for Mobile Communications)技術の後継であり、広帯域符号分割多元接続(W-CDMA(登録商標))、時分割符号分割多元接続(TD-CDMA)、および時分割同期符号分割多元接続(TD-SCDMA)などの様々なエアインターフェース規格を現在サポートしている。UMTSは、関連付けられたUMTSネットワークのデータ転送の速度および容量を向上させる、高速パケットアクセス(HSPA)などの拡張3Gデータ通信プロトコルもサポートする。
【０００３】
いくつかの通信方式において、パケット送信および受信のための送信時間間隔(TTI)は、ユーザ機器(UE)における電流消費を削減するために、アップリンクおよびダウンリンクの一方または両方において短縮することができる。ただし、TTIが短縮されると、短縮TTIパケットで多重化される制御シグナリングが損なわれる場合がある。
【０００４】
モバイル広帯域アクセスの需要が増大し続けているので、研究開発は、モバイル広帯域アクセスの高まる需要を満たすだけでなく、モバイル通信に関してのユーザエクスペリエンスを発展および向上させるようにUMTS技術を進歩させ続けている。したがって、短縮TTI通信シナリオにおいて制御チャネルシグナリングおよびインナーループ電力制御を向上させる方法および装置が必要とされている。
【発明の概要】
【課題を解決するための手段】
【０００５】
以下では、1つまたは複数の態様の基本的な理解をもたらすために、そのような態様の簡略化した概要を提示する。この概要は、すべての企図された態様の包括的な概要ではなく、すべての態様の主要または重要な要素を識別するものでもなく、いずれかまたはすべての態様の範囲を定めるものでもない。その唯一の目的は、後に提示されるより詳細な説明の導入として、1つまたは複数の態様のいくつかの概念を簡略化された形で提示することである。
【０００６】
1つまたは複数の態様およびその対応する開示に従って、様々な態様について、ワイヤレス通信ネットワーク内のUEおよびネットワークエンティティに関連付けられたワイヤレス通信機能性の向上との関連で記載する。
【０００７】
本開示の一態様では、UEにおけるアップリンクモバイル通信の方法が提示される。そのような態様は、第1のボイスパケットTTIを有する2つの連続ボイスパケットを、第2のボイスパケットTTIを有する2つの圧縮ボイスパケットに圧縮するステップを含み得る。さらに、方法は、第1の専用制御チャネル(DCCH)TTIに対応するシグナリングデータを、第2のDCCH TTIを有する圧縮シグナリングデータに圧縮するステップを含み得る。さらに、例示的方法は、2つの圧縮ボイスパケットおよび圧縮シグナリングデータを多重化して、多重化パケットを形成するステップと、多重化パケットを、第1のサブパケットと第2のサブパケットに分裂させるステップとを含み得る。さらに、例示的方法は、サブパケットTTIを有する第1のサブパケット間隔中に第1のサブパケットを送信するステップと、第1のサブパケット間隔の後に続く第2のサブパケット間隔中に、第2のサブパケットを送信するステップとを含むことができ、第2のサブパケット間隔はサブパケットTTIを有する。
【０００８】
本開示のさらなる態様では、第1のボイスパケットTTIを有する2つの連続ボイスパケットを、第2のボイスパケットTTIを有する2つの圧縮ボイスパケットに圧縮するように構成されたボイスパケット圧縮構成要素を含み得る装置が提示される。さらに、例示的装置は、第1のDCCH TTIに対応するシグナリングデータを、第2のDCCH TTIを有する圧縮シグナリングデータに圧縮するように構成されたシグナリングデータ圧縮構成要素と、2つの圧縮ボイスパケットおよび圧縮シグナリングデータを多重化して、多重化パケットを形成するように構成された多重化構成要素とを含み得る。さらに、例示的装置は、多重化パケットを、第1のサブパケットと第2のサブパケットに分裂させるように構成されたパケット分裂構成要素を含み得る。さらに、例示的装置は、サブパケットTTIを有する第1のサブパケット間隔中に第1のサブパケットを送信するように、および第1のサブパケット間隔の後に続く第2のサブパケット間隔中に、第2のサブパケットを送信するように構成された送信構成要素を含むことができ、第2のサブパケット間隔はサブパケットTTIを有する。
【０００９】
さらに、本開示は、アップリンクモバイル通信のための例示的装置を提示する。例示的装置は、第1のボイスパケットTTIを有する2つの連続ボイスパケットを、第2のボイスパケットTTIを有する2つの圧縮ボイスパケットに圧縮するための手段を含み得る。さらに、例示的装置は、第1のDCCH TTIに対応するシグナリングデータを、第2のDCCH TTIを有する圧縮シグナリングデータに圧縮するための手段を含み得る。さらに、例示的装置は、2つの圧縮ボイスパケットおよび圧縮シグナリングデータを多重化して、多重化パケットを形成するための手段と、多重化パケットを、第1のサブパケットと第2のサブパケットに分裂させるための手段とを含み得る。さらに、例示的装置は、サブパケットTTIを有する第1のサブパケット間隔中に第1のサブパケットを送信するための手段と、第1のサブパケット間隔の後に続く第2のサブパケット間隔中に、第2のサブパケットを送信するための手段とを含むことができ、第2のサブパケット間隔はサブパケットTTIを有する。
【００１０】
本開示のさらなる態様では、ネットワークエンティティにおけるモバイル通信の方法が提示される。一態様において、例示的方法は、第1の送信間隔中に、ある電力レベルにおいて、ダウンリンク通信チャネル上で1つまたは複数のパケットをUEに送信するステップを含み得る。さらに、例示的方法は、第2の送信間隔に渡ってダウンリンク通信チャネル向けのインナーループ電力制御を無効化するステップを含み得る。さらに、例示的方法は、第2の送信間隔中に、UEから第1の送信電力制御(TPC)コマンドを受信するステップと、第1のTPCコマンドに基づいて、電力レベルを、調節された電力レベルに調節するステップとを含み得る。さらに、例示的方法は、調節された電力レベルで、ダウンリンク通信チャネル上でUEに1つまたは複数のパケットを送信するステップを含み得る。
【００１１】
さらに、本開示は、不連続ワイヤレス信号送信のためのインナーループ電力制御の方法を提示し、この方法は、ある電力レベルにおいて、第1の送信間隔中に専用通信チャネル上で1つまたは複数の信号を送信するステップを含み得る。さらに、例示的方法は、第1の送信間隔に続く不連続送信(DTX)間隔中に、専用通信チャネル上での送信を一時停止するステップを含み得る。さらに、例示的方法は、DTX間隔中に、TPCコマンドを受信するステップを含むことができ、TPCコマンドは、1つまたは複数の信号のうちの少なくとも1つの、品質メトリックに基づく。さらに、例示的方法は、TPCコマンドに基づいて、電力レベルを、調節された電力レベルに調節するステップと、DTX間隔に続く第2の送信間隔中に、調節された電力レベルで、専用通信チャネル上で1つまたは複数のさらなる信号を送信するステップとを含み得る。
【００１２】
上記の目的および関連の目的を達成するために、1つまたは複数の態様は、以下で十分に説明され、特許請求の範囲で具体的に指摘される特徴を備える。以下の説明および添付の図面は、1つまたは複数の態様のいくつかの例示的な特徴を詳細に記載する。これらの特徴は、しかしながら、様々な態様の原理が利用され得る様々な方法のいくつかしか示しておらず、この説明は、すべてのそのような態様と、それらの等価物とを含むことが意図されている。
【図面の簡単な説明】
【００１３】
【図１】本開示による、例示的なワイヤレス通信システムを示すブロック図である。
【図２】本開示による、アップリンク送信のための例示的プロセスを示すブロック図である。
【図３】本開示の例示的な装置による、例示的なダウンリンク送信マネージャを示すブロック図である。
【図４】本開示の例示的な方法体系を表す複数の機能ブロックを含む流れ図である。
【図５Ａ】本開示による電力制御手順を示す図である。
【図５Ｂ】本開示による電力制御手順を示す図である。
【図６Ａ】本開示による電力制御手順を示す図である。
【図６Ｂ】本開示による電力制御手順を示す図である。
【図７】本開示の例示的な装置による、例示的なダウンリンク送信マネージャを示すブロック図である。
【図８Ａ】本開示による、インナーループ電力制御のための例示的方法体系を表す複数の機能ブロックを含む流れ図である。
【図８Ｂ】本開示による、インナーループ電力制御のためのさらなる例示的方法体系を表す複数の機能ブロックを含む流れ図である。
【図９】処理システムを利用する装置のためのハードウェア実装形態の一例を示す図である。
【図１０】電気通信システムの一例を概念的に示すブロック図である。
【図１１】アクセスネットワークの一例を示す概念図である。
【図１２】電気通信システムにおいてUEと通信しているノードBの一例を概念的に示すブロック図である。
【発明を実施するための形態】
【００１４】
添付の図面に関して以下で説明される詳細な説明は、様々な構成の説明として意図されており、本明細書で説明される概念が実践され得る唯一の構成を表すことは意図されていない。詳細な説明は、様々な概念の完全な理解を提供する目的のための具体的な詳細を含む。しかしながら、これらの概念がこれらの特定の詳細なしに実施され得ることは当業者に明らかであろう。いくつかの例では、そのような概念を曖昧にするのを防ぐために、よく知られた構造および構成要素がブロック図の形態で示されている。
【００１５】
本開示は、短縮TTIのシナリオにおいて実装することができる、向上された制御チャネルシグナリングおよび電力制御のための方法および装置を提示する。たとえば、本開示のUEまたはネットワークエンティティは、専用制御チャネル(DCCH)を介して送信され得る制御チャネル信号のTTIを短縮するように構成することができる。一態様において、短縮TTI制御チャネル波形は、1つまたは複数のデータパケット(たとえば、ボイスパケット)で多重化されてよく、多重化波形は複数のサブパケットに分裂させることができる。これらのサブパケットは、アップリンクにおける1つもしくは複数の不連続送信(DTX)期間またはダウンリンクにおける1つもしくは複数の不連続受信(DRX)期間によって、時間が隔てられてよい。本開示の目的のために、ダウンリンクにおける制御情報のこの断続送信は、「断続送信モード」と呼ばれることがある。
【００１６】
本開示のさらなる態様において、制御情報がダウンリンクにおける送信に利用可能な場合、制御情報は、ダウンリンクにおいて絶えず送信される。本開示の目的のために、ダウンリンクにおける制御情報のこの不断送信は、「不断送信モード」と呼ばれることがある。代替として、制御情報が、ダウンリンクにおける送信に利用可能でない場合、多重化パケットの第2の部分(たとえば、後半)は削除され、DRXまたはDTXが、データパケット送信の間のそれぞれのダウンリンクおよび/またはアップリンク送信スケジュールに断続的に挿入されることを可能にする。
【００１７】
その結果、いくつかのシナリオでは、ネットワークエンティティは、アップリンクが制御情報を断続的に送信しているだけである間、ダウンリンクにおいて絶えず制御情報を送信することができる。これらのシナリオにおいて、ネットワークエンティティは、アップリンク送信スケジュールにおけるDTX期間中にアップリンクにおいてインナーループ電力制御情報を受信しない。したがって、一態様において、これらのDTX期間中に、本開示のネットワークエンティティは、以前使用された送信電力レベルを使用してよく、またはDTX期間の前にUEによって送信された1つもしくは複数の送信電力制御(TPC)コマンドに従って、以前使用された送信電力レベルを調節してよい。
【００１８】
図1は、例示的構成による、向上された制御情報送信および関連付けられた送信電力制御のためのシステム100を示す概略図である。図1は、1つまたは複数のワイヤレス通信リンクを介して1つまたは複数のUE102とワイヤレスに通信することができる例示的ネットワークエンティティ104を含む。さらに、単一のネットワークエンティティ104が図1に示されているが、追加ネットワークエンティティが、システム100内に存在してよく、ネットワークエンティティ104と同時にUE102と通信することができる。一態様において、UE102とネットワークエンティティ104がそれを介して通信する1つまたは複数のワイヤレス通信リンクは、第1世代、第2世代(2G)、3G、4Gなどのワイヤレスネットワークアーキテクチャを含み得る、3GPPおよび/または3GPP2によって公表された仕様に従って動作する1つまたは複数の通信リンクを含むが、それらに限定されない、どのオーバージエア(OTA)通信リンクも含み得る。たとえば、いくつかの態様において、1つまたは複数の通信リンクは、UE102によってネットワークエンティティ104に送信されるデータおよび/または制御シグナリングを搬送することができるアップリンク通信チャネル108を含み得る。さらに、1つまたは複数の通信リンクは、ネットワークエンティティ104によってUE102に送信されるデータおよび/または制御シグナリングを搬送することができるダウンリンク通信チャネル110を含み得る。
【００１９】
一態様において、UE102は、限定はしないが、スマートフォン、セルラー電話、モバイルフォン、ラップトップコンピュータ、タブレットコンピュータ、または他のポータブルネットワークデバイスなどのモバイルデバイスであってよい。加えて、UE102は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、または他の何らかの適切な用語で呼ばれる場合もある。一般に、UE102は、ポータブルと見なされるほど十分に小型かつ軽量であり得るし、本明細書に記載される1つまたは複数のOTA通信プロトコルを使用して、オーバージエア通信リンクを介してワイヤレスに通信するように構成される場合がある。さらに、UE102は、アップリンク送信マネージャ106を含んでよく、マネージャ106は、断続または不断送信モードでアップリンク送信を実施するように構成することができ、本明細書に記載するインナーループ送信電力制御プロセスを実施するように構成することができる。
【００２０】
さらに、図1のネットワークエンティティ104は、アクセスポイント、基地局(BS)、ノードB、eノードB(eNB)、リレー、ピアツーピアデバイス、認証、許可およびアカウンティング(AAA)サーバ、モバイル交換センタ(MSC)、無線ネットワークコントローラ(RNC)を含むマクロセル、またはピコセル、フェムトセル、マイクロセルなどの低電力アクセスポイントなど、任意のタイプのネットワークモジュールのうちの1つまたは複数を含み得る。加えて、ネットワークエンティティ104は、ワイヤレスおよび/またはコアネットワークの1つまたは複数の他のネットワークエンティティと通信し得る。さらなる態様において、ネットワークエンティティ104は、ダウンリンク送信マネージャ107を含んでよく、マネージャ107は、断続または不断送信モードでダウンリンク送信を実施するように構成することができ、本明細書に記載するインナーループ送信電力制御プロセスを実施するように構成することができる。
【００２１】
加えて、システム100は、限定はしないが、ワイドエリアネットワーク(WAN)、ワイヤレスネットワーク(たとえば、802.11もしくはセルラーネットワーク)、公衆交換電話網(PSTN)ネットワーク、アドホックネットワーク、パーソナルエリアネットワーク(たとえば、Bluetooth(登録商標))、またはネットワークプロトコルおよびネットワークタイプの他の組合せもしくは並べ替えなどの任意のネットワークタイプを含み得る。そのようなネットワークは、単一のローカルエリアネットワーク(LAN)もしくはワイドエリアネットワーク(WAN)、またはインターネットなどのLANもしくはWANの組合せを含み得る。
【００２２】
さらに、1つまたは複数のネットワークエンティティ104を含み得るそのようなネットワークは、広帯域符号分割多元接続(W-CDMA(登録商標))システムを備える場合があり、この規格に従って1つまたは複数のUE102と通信することができる。当業者が容易に諒解するように、本開示全体にわたって説明する様々な態様は、他の電気通信システム、ネットワークアーキテクチャ、および通信規格に拡張され得る。例として、様々な態様は、時分割同期符号分割多元接続(TD-SCDMA)、高速ダウンリンクパケットアクセス(HSDPA)、高速アップリンクパケットアクセス(HSUPA)、高速パケットアクセスプラス(HSPA+)、および時分割CDMA(TD-CDMA)などの、他のユニバーサルモバイルテレコミュニケーションシステム(UMTS)システムに拡張され得る。様々な態様はまた、(FDDモード、TDDモード、もしくは両方のモードにおける)ロングタームエボリューション(LTE)、(FDDモード、TDDモード、もしくは両方のモードにおける)LTEアドバンスト(LTE-A)、CDMA2000、エボリューションデータオプティマイズド(EV-DO)、ウルトラモバイルブロードバンド(UMB)、電気電子技術者協会(IEEE)802.11(Wi-Fi)、IEEE802.16(WiMAX(登録商標))、IEEE802.20、ウルトラワイドバンド(UWB)、Bluetooth(登録商標)、および/または他の適切なシステムを採用するシステムに拡張され得る。採用される実際の電気通信規格、ネットワークアーキテクチャ、および/または通信規格は、特定の用途、およびシステムに課される全体的な設計制約に依存する。ネットワークに結合される様々なデバイス(たとえば、UE102、ネットワークエンティティ104)は、1つまたは複数の有線接続またはワイヤレス接続を介してコアネットワークに結合され得る。
【００２３】
図2に移ると、多重化シグナリングおよびパケットデータを送信するための例示的プロセス200が提示されている。プロセス200は、UEおよび/またはネットワークエンティティが本開示の断続送信モードでデータを送信するとき、UEおよび/またはネットワークエンティティによって実施することができる。具体的には、プロセス200によると、シグナリングデータ202およびボイスパケット(たとえば、ボイスパケット1 204およびボイスパケット2 206)は、プロセス200を利用するUEおよびネットワークエンティティのための電流節約を可能にする送信スケジュールを形成するように、圧縮され、多重化され、分裂され、DTXまたはDRX間隔がインターリーブされてよい。一態様において、プロセス200は、図1のアップリンク送信マネージャ106および/またはダウンリンク送信マネージャ107によって実施される場合がある。
【００２４】
一態様において、シグナリングデータ202および2つ以上のボイスパケット(たとえば、ボイスパケット1 204およびボイスパケット2 206)は、アップリンクまたはダウンリンクチャネルを介した送信用に生成されてよい。シグナリングデータ202は、シグナリング無線ベアラ(SRB)データ、またはボイスパケットの通信に必要な他のどのシグナリングデータも含み得る。さらに、シグナリングデータ202は関連TTIを最初に有している場合があり、関連TTIは、いくつかの例では、各ボイスパケットのTTIの2倍であってよい。プロセス200では、たとえば、シグナリングデータ202は40msのTTIを有してよく、ボイスパケット1 204およびボイスパケット2 206は20msのTTIを有してよい。
【００２５】
プロセス200の一態様において、ボイスパケット1 204およびボイスパケット2 206のTTIは、圧縮ボイスパケット1 208および圧縮ボイスパケット2 210を形成するように圧縮されてよい。図2に示すように、これらの圧縮ボイスパケットは、ボイスパケット1 204およびボイスパケット2 206の半分の、得られたTTIを有し得る。言い換えると、非限定的な例示的態様において、圧縮ボイスパケット1 208および圧縮ボイスパケット210は10msの関連TTIを有し得る。さらなる態様では、シグナリングデータ202も、圧縮シグナリングデータ212を形成するように同様に圧縮され得る(たとえば、半分だけ)。言い換えると、シグナリングデータ202が40msの関連TTIを有する非限定的例において、シグナリングデータ202は20msに圧縮され得る。ただし、図2に示さない他の例では、シグナリングデータ202のTTIは、限定はしないが、10msなど、他のどの長さに圧縮されてもよい。
【００２６】
圧縮シグナリングデータ212および圧縮ボイスパケット208および210が形成されると、それらは、得られる多重化パケット214を形成するように多重化されてよく、パケット214は、圧縮シグナリングデータ212のTTIに相当するとともに圧縮ボイスパケット1 208または圧縮ボイスパケット2 210のTTIの2倍である関連TTIを有し得る。たとえば、図2に示すように、圧縮シグナリングデータ212が20msの関連TTIを有し、圧縮ボイスパケット1 208および圧縮ボイスパケット2 210が10msの関連TTIを有する場合、多重化パケット214は、20msの関連TTIを有し得る。
【００２７】
さらに、多重化パケット214が形成されると、パケット214は、2つ以上のサブパケットに分裂させることができる。一態様において、サブパケットの各々は、多重化パケット214の多重化波形の一部分を含むことができ、多重化パケット214のTTI未満のTTIを有し得る。たとえば、図2に示すように、多重化パケット214は、第1のサブパケット216と第2のサブパケット218に分裂させることができ、これらは各々、10msの関連TTI、または多重化パケット214に関連付けられたTTI(すなわち、20ms)の半分を有し得る。
【００２８】
さらなる態様において、多重化パケット214が第1のサブパケット216と第2のサブパケット218に分裂されると、これらのサブパケットは、(アップリンクにおける)DTX期間または(ダウンリンクにおける)DRX期間を各々が含む2つ以上の送信間隔がインターリーブされてよい。本開示の目的のために、そのような「インターリーブ」は、第1の間隔中のサブパケットの送信(またはその受信)と、DTXまたはDRX期間に相当する第2のサブ期間中の送信(または受信)の欠如とを交代させることを指し得る。
【００２９】
図3には、(たとえば、図1の)例示的アップリンク送信マネージャ106が、本明細書に記載される1つまたは複数の方法またはプロセス(たとえば、図2のプロセス200)を遂行するための複数の個別の構成要素を備えるものとして提示されている。いくつかの例において、アップリンク送信マネージャ106は、ボイスパケットおよび制御データを圧縮し、圧縮波形を多重化パケットに多重化し、多重化パケットをサブパケットに分裂させ、サブパケットに1つまたは複数のDTX間隔をインターリーブするように構成することができる。
【００３０】
一態様において、アップリンク送信マネージャ106はボイスパケット圧縮構成要素300を含むことができ、構成要素300は、1つまたは複数のボイスパケットを、第1のボイスパケットTTIから第2のボイスパケットTTIに圧縮するように構成することができる。たとえば、ボイスパケット圧縮構成要素300は、第1のボイスパケットTTIを有する2つの連続ボイスパケットを、第1のボイスパケットTTIよりも短い第2のボイスパケットTTIを有する2つの圧縮ボイスパケットに圧縮するように構成することができる。一態様において、圧縮は、第2のボイスパケットTTIに基づいて、従来の圧縮、インターリーブ、および他の物理レイヤ手順により実行することができる。いくつかの例において、ボイスパケット圧縮構成要素300によって実施される圧縮は、圧縮ボイスパケットの得られたTTIが1つまたは複数の圧縮前のボイスパケットのTTIの半分になるように、1つまたは複数のボイスパケットを圧縮し得る。たとえば、一態様において、ボイスパケット圧縮構成要素300は、20msのTTIを有する1つまたは複数のボイスパケットを、10ms TTIを有する1つまたは複数のボイスパケットに圧縮するように構成することができる。
【００３１】
さらに、アップリンク送信マネージャ106はシグナリングデータ圧縮構成要素302を含むことができ、構成要素302は、第1の専用制御チャネル(DCCH)TTIに対応するシグナリングデータを、第2のDCCH TTIを有する圧縮シグナリングデータに圧縮するように構成することができる。一態様において、シグナリングデータ圧縮構成要素302によって実施された圧縮の結果として、圧縮シグナリングデータの第2のDCCH TTIは、圧縮前のシグナリングデータTTIの第1のDCCH TTIの半分になり得る。
【００３２】
さらに、アップリンク送信マネージャ106は多重化構成要素304を含むことができ、構成要素304は、ボイスパケット圧縮構成要素300およびシグナリングデータ圧縮構成要素302によってそれぞれ作成された1つまたは複数の圧縮ボイスパケットおよび圧縮シグナリングデータを多重化するように構成することができる。たとえば、多重化構成要素304は、2つの圧縮ボイスパケットおよび圧縮シグナリングデータを多重化して、多重化パケットを形成するように構成することができる。一態様において、多重化構成要素304によって作成された多重化パケットは、個々の圧縮ボイスパケットのTTIの2倍と等価であり得る、圧縮シグナリングデータの第2のDCCH TTIに等しい関連TTIを有し得る。
【００３３】
さらなる態様において、アップリンク送信マネージャ106はパケット分裂構成要素306を含むことができ、構成要素306は、多重化構成要素304によって作成された多重化パケットを複数のサブパケットに分裂させるように構成することができる。たとえば、パケット分裂構成要素306は、多重化パケットを、第1のサブパケットと第2のサブパケットに分裂させるように構成されてよい。いくつかの例において、第1のサブパケットおよび第2のサブパケットの各々は、多重化構成要素304によって作成された多重化パケットの半分のTTIを有し得る。
【００３４】
さらに、一態様において、アップリンク送信マネージャ106は送信構成要素308を含むことができ、構成要素308は、パケット分裂構成要素によって作成された1つまたは複数のサブパケットを、アップリンク通信チャネルを介してネットワークエンティティに断続的に送信するように構成されてよい。たとえば、いくつかの例において、送信構成要素は、サブパケットTTIを有する第1のサブパケット間隔中に第1のサブパケットを送信するように構成されてよい。その後、送信構成要素308は、サブパケットTTIに対応する時間間隔だけ送信を一時停止してよい。一態様において、この時間間隔は、アップリンクにおけるDTX期間に対応し得る。時間間隔中のこの送信一時停止に続いて、UEは、サブパケットTTIを有する第2のサブパケット間隔中に第2のサブパケットを送信するように構成されてよい。やはり、第2のサブパケットのこの送信に続いて、送信構成要素308は、第2のサブパケットを送信した後、サブパケットTTIを有する時間間隔だけ、送信を再度一時停止してよい。一態様において、この時間間隔は、サブパケット送信の間のさらなるDTX期間に対応し得る。したがって、送信構成要素308は、サブパケットの送信とすべての送信の一時停止との間を交代させて、サブパケット送信の間のDTX期間を形成し得る。
【００３５】
追加態様において、アップリンク送信マネージャ106は送信電力制御(TPC)コマンド生成構成要素310を含むことができ、構成要素310は、送信構成要素308によってネットワークエンティティに送信され得る1つまたは複数のTPCコマンドを生成するように構成されてよい。一態様において、TPCコマンド生成構成要素310は、ネットワークエンティティからの1つまたは複数の送信(たとえば、パイロット信号やパケットデータ送信)の受信電力レベルを取得するように構成されてよい。受信電力レベルに基づいて、TPCコマンド生成構成要素は、受信電力レベルを目標受信電力レベルまたは目標受信電力レベル範囲と比較して、受信電力レベルが増大または低下されるべきかどうか判断することができる。TPCコマンド生成構成要素310が、受信電力レベルが増大または低下されるべきであると判断した場合、ネットワークエンティティに、その送信電力が増大または低下されるべきであると命令するためのTPCコマンドが生成されてよい。
【００３６】
例示的な構成要素300、302、304、306、308、および310は、アップリンク送信マネージャ106に関連して提示されており、これらは排他的ではない。そうではなく、アップリンク送信マネージャ106は、本開示および以下に列挙される特許請求の範囲の態様を実施するように構成された、追加または代替の構成要素を含む場合がある。
【００３７】
図4は、本明細書に記載する1つまたは複数の装置(たとえば、図1のユーザ機器102、ならびに/またはアップリンク送信マネージャ106、および/もしくは図3に提示されるその下位構成要素など、UE102の1つもしくは複数の構成要素)によって実施することができるブロックとして表されるステップの非限定的セットを含む、アップリンクモバイル通信のための例示的な方法体系400を提示する。一態様において、方法体系400は、アップリンク送信の1つもしくは複数の期間に1つもしくは複数のDTX期間をインターリーブし、またはアップリンクにおいて「断続送信モード」で送信する方法を含む。
【００３８】
方法体系400は、ブロック402において、第1のボイスパケットTTIを有する2つの連続ボイスパケットを、第2のボイスパケットTTIを有する2つの圧縮ボイスパケットに圧縮することを含み得る。いくつかの例において、ボイスパケットは、非連続であってよく、かつ/または2つより多いボイスパケットを含み得る。さらに、いくつかの例において、第1のボイスパケットTTIは20msであってよく、圧縮ボイスパケットの第2のボイスパケットTTIは10msであってよいが、これらは非限定的例を表す。一態様では、ブロック402は、図3のボイスパケット圧縮構成要素300によって実施される場合がある。さらに、ブロック404において、方法体系400は、第1のDCCH TTIに対応するシグナリングデータを、第2のDCCH TTIを有する圧縮シグナリングデータに圧縮することを含み得る。いくつかの例において、第1のDCCH TTIは、であってよい。一態様では、ブロック404は、図3のシグナリングデータ圧縮構成要素302によって実施される場合がある。
【００３９】
さらに、一態様において、方法体系400は、ブロック406において、2つの圧縮ボイスパケットおよび圧縮シグナリングデータを多重化して、多重化パケットを形成することを含み得る。いくつかの例では、ブロック406は、図3の多重化構成要素304によって実施される場合がある。追加態様において、方法体系400は、ブロック408において、多重化パケットを、第1のサブパケットと第2のサブパケットに分裂させることを含み得る。いくつかの例では、多重化パケットを分裂させると、第1のサブパケットおよび第2のサブパケットの各々が、第2のボイスパケットTTIに相当するサブパケットTTIを有することになり得る。たとえば、第2のボイスパケットTTIが10msである場合、第1のサブパケットおよび第2のサブパケットの各々は、10msの対応するTTI、または多重化パケットの20ms TTIの半分を有し得る。いくつかの例では、ブロック408は、図3のパケット分裂構成要素306によって実施される場合がある。
【００４０】
さらに、方法体系400は、ブロック410において、サブパケットTTIを有する第1のサブパケット間隔中に第1のサブパケットを送信することを含み得る。一態様では、サブパケットTTIは、ブロック408において多重化パケットを分裂させたことから生じた各サブパケットのTTIに相当し得る。いくつかの例において、このサブパケットTTIは10msであるが、この例示的値は非限定的である。
【００４１】
さらに、1つまたは複数のサブパケットの送信に1つまたは複数のDTX期間をインターリーブするために、方法体系400は任意選択で、(ブロック412の破線によって示されるように)ブロック412において、サブパケットTTIに対応する時間間隔だけ、送信を一時停止することを含み得る。一態様において、ブロック412において送信が一時停止される時間間隔は、アップリンク送信スケジュールにおけるDTX期間に対応し得る。ブロック412において、その期間だけ送信を一時停止した後、第2のサブパケットが送信されてよい。したがって、ブロック414において、方法体系400は、第1のサブパケット間隔の後に続く第2のサブパケット間隔中に、第2のサブパケットを送信することを含み得る。一態様において、第2のサブパケット間隔は、第1のサブパケット間隔のサブパケットTTIに相当するサブパケットTTIを有し得る。さらに、方法体系400は任意選択で、(ブロック416の破線によって示されるように)ブロック416において、サブパケットTTIに対応する時間間隔だけ、送信を一時停止することを含み得る。ブロック412の時間間隔のように、ブロック416において送信が一時停止される時間間隔は、アップリンク送信スケジュールにおけるDTX期間に対応し得る。一態様では、ブロック410、412、414、および416は、図3の送信構成要素308によって実施される場合がある。
【００４２】
本開示のさらなる態様では、断続送信モードで動作しているとき、それぞれ、UEおよびネットワークエンティティのアップリンクおよびダウンリンク送信スケジュールに挿入されたDTXおよびDRX期間中にアップリンクおよびダウンリンクTPCコマンド送信が行われないことを補償するための電力制御手順が提示される。たとえば、図5Aおよび図5Bは各々、不連続ワイヤレス信号送信をもたらす、UEとネットワークエンティティの両方が断続送信モードで動作しているとき(たとえば、DTXまたはDRX期間が断続的に送信スケジュールに挿入されるとき)の、アップリンクおよびダウンリンク送信のためのインナーループ電力制御手順を示す送信スケジュール図を提示する。
【００４３】
図5Aを参照すると、ダウンリンク送信スケジュール556は、ダウンリンク通信チャネルにおける複数のダウンリンクスロット中に送信をするネットワークエンティティのスケジュールに対応する。同様に、アップリンク送信スケジュール557は、アップリンク通信チャネルにおける複数のアップリンクスロット中に送信をするUEのスケジュールに対応する。本開示の一態様において、スロット中のアップリンクおよびダウンリンクにおける信号の送信に使われるスロットの送信電力は、最終スロットの最後における電力から導出することができ、1つまたは複数のTPCコマンドによって修正することができる。たとえば、UEまたはネットワークエンティティは、前のスロットにおいて使った同じ送信電力を単に使ってもよく、前の送信電力に対してTPCコマンドを適用することによって、前のスロットの送信電力を修正してもよい。本開示によって企図されるこれらの送信電力制御代替形態の例示的実装形態が、図5Aおよび図5Bに提示されている。
【００４４】
アップリンクにおいて送信されるTPCコマンド(たとえば、TPC523、526、530、および533)ならびにダウンリンクにおいて送信されるTPCコマンド(たとえば、TPC505、508、512、および515)は、以前受信された信号(たとえば、データおよび/もしくはパイロット信号)の受信電力レベルならびに/またはこれらの以前受信された信号に関連付けられた品質メトリック(たとえば、信号対ノイズ比(SNR))に基づいて、それぞれ、UEおよびネットワークエンティティによって生成される。たとえば、図5AのDLスロット2 501において、TPCコマンド508は、線539によって示されるように、アップリンクスロット0 534においてUEによって送信されたデータ518の電力レベルまたは品質メトリック(たとえば、信号対干渉比(SIR))に基づいて、ネットワークエンティティによって生成することができる。図5Aおよび図5Bの目的のために、二点破線(たとえば、線539、541、542、557、559および563)は、TPCコマンド値が基づく信号の送信を表す。同様に、図5Aおよび図5Bの目的のために、点線は、点線矢印が指す、送信スケジュール556または557における時点で最初に適用されるTPCコマンドの送信を表す。たとえば、図5Aに示すように、TPCコマンド508は、DLスロット2 501中にダウンリンクにおいてネットワークエンティティによって送信されてよく、ULスロット2 536中に、UEによって受信され、データ524の送信に関連付けられた送信電力に適用されてよい。
【００４５】
本開示の追加態様において、図5A、図5B、図6A、および/または図6Bのデータ(たとえば、データ506、509、518、521など)はパケットデータを含み得る。いくつかの例において、このパケットデータは、ボイスパケットデータ、オーディオパケットデータ、ビデオパケットデータ、または1つもしくは複数の専用通信チャネルを介してネットワークエンティティとUEとの間で送信される他のどのデータも含み得る。たとえば、図5A、図5B、図6A、および/または図6Bのデータは、UEおよび/またはネットワークエンティティが断続送信モードで送信をしているとき、図2の第1のサブパケット216または第2のサブパケット218を含み得る。さらに、図5Aおよび図5Bのダウンリンク送信スケジュール556ならびに図6Aおよび図6Bのダウンリンク送信スケジュール665に示されるように、各ダウンリンクスロットは、TPCコマンドとパイロット信号部分の両方を含み得る。ただし、現時点で示されていない代替ダウンリンク送信スケジュール例では、本開示のどのダウンリンク送信スケジュールも、専用パイロット信号部分を任意選択で含まない場合がある。その代わりに、そのような例では、ダウンリンク送信スケジュールの各スロットは、スロット用のパイロット信号として働くTPCコマンド(たとえば、各スロットの最後に置かれ得る)を含み得る。
【００４６】
さらに、いくつかの例では、図5A、図5B、図6A、および図6Bのアップリンク送信スケジュール557および667において、アップリンク送信スケジュールの「データ」部分は、「データ」よりもむしろパイロット信号部分であり得る。さらに、図5A、図5B、図6A、および図6Bのダウンリンク送信スケジュール556および665では、各DLスロットの3つの別個の部分が示されているが(TPC、データ、およびパイロット)、各DLスロットの他の部分も存在し得る。たとえば、図5A、図5B、図6A、および図6Bに明示的には示されていないが、別のデータ部分が各TPC部分に先行してよい。さらに。
【００４７】
本開示の一態様において、ネットワークエンティティは、DRX期間のすぐ後にTPCコマンドを送信するようにスケジュールされてよい。たとえば、図5Aにおいて、ネットワークエンティティは、DRX期間511に続いて、TPCコマンド512を送信するようにスケジュールされてよい。ただし、DRX期間511中にアップリンクにおいて信号が受信されないので、ネットワークエンティティは、TPCコマンド512の内容をそのような存在しないアップリンク信号に基づかせることはできない。したがって、ネットワークエンティティは代わりに、アップリンクデータの受信電力レベルまたは品質メトリック(たとえば、SNR)を使用して、DRX期間511に続いてTPCコマンドを生成すればよい。たとえば、図5AのTPCコマンド512について検討する。TPC512が基づき得る信号を含むすべての信号の送信をDTX期間527中はUEが一時停止しているので、DRX期間511中に、UEからアップリンク通信は受信されない。一態様において、DRX間隔511は、複数のDLスロットまたは1つのDLスロットを含み得る。同様に、DTX間隔527は、シナリオに依存して、複数のULスロットまたは1つのULスロットを含み得る。
【００４８】
その結果、本開示の一態様において、ネットワークエンティティは、DRX期間511に先立って、ネットワークエンティティによって受信された信号に基づいてTPCコマンドを生成することができる。たとえば、ULスロット1 535のデータ521およびULスロット2 536のデータ524は、DTX527に先立って(およびDRX511の間または前に)、ネットワークエンティティによって受信され得る。一態様において、アップリンクとダウンリンクの両方が断続送信モードで動作中であるとき、どのTPCコマンドも、DTX527中に送信もDRX511中に受信もされないので、線541および542によって示されるように、ネットワークエンティティは、TPCコマンド512の内容を判断するのに、データ521またはデータ524のうちの1つまたは複数を使用すればよい。
【００４９】
さらに、送信されると、TPCコマンド512は、DTX期間527中にUEによって受信され得る。一態様において、点線543によって示されるように、UEは、DTX期間527に続いて直ちに、データ528のアップリンク送信用のTPCコマンド512を適用してよい。代替として、いくつかの例において、DTX期間527に続いてすぐにTPCコマンド512を適用するよりもむしろ、UEは代わりに、TPCコマンド512を無視し、ULスロット2 536中に使用された送信電力を適用し続けてよい。
【００５０】
さらに、いくつかのインナーループ電力制御例では、UEまたはネットワークエンティティは、受信されたTPCコマンドが、専用通信チャネルがDTX間隔中でない間に計算された信号品質メトリック(たとえば、SNR)に基づいて生成された場合、そのTPCコマンドを適用するように構成されてよい。これらの例において、UEまたはネットワークエンティティは、DTX間隔に先行していた前の送信電力にTPCコマンドを適用してよい。
【００５１】
たとえば、DTX間隔527中にネットワークエンティティによって送信することができる、図5AのTPC512について検討する。線541および542によって示されるように、TPCコマンド512は、受信されたデータ信号521および524の一方または両方の品質メトリックに基づいて生成されてよい。一態様において、データ信号521および524はDTX間隔527に先立って受信されるので、これらの受信されたデータ信号に関連付けられた品質メトリックは、DTX間隔527の前にネットワークエンティティによって計算することができる。これらの品質メトリックが生成されると、ネットワークエンティティは、TPCコマンド512を生成し、UEがすべてのアップリンク送信を一時停止したDTX間隔527中にTPCコマンド512をUEに送信してよい。一態様において、線543によって示されるように、UEがDTX間隔527の後にデータ528のアップリンク送信を再開したとき、UEは、TPCコマンド512を最も直近の送信電力(たとえば、DTX間隔527の直前の送信電力)に適用してよい。さらに、インナーループ電力制御の、上で述べた例は、アップリンク送信用にUEによって実施することができるが、同じプロセスが、ダウンリンク送信用にネットワークエンティティによって行われてよい。したがって、本開示によると、TPCコマンドが基づく品質メトリック計算が、送信における一時停止の前(すなわち、DTX間隔の外)に計算されたとき、UEまたはネットワークエンティティは、送信における一時停止(たとえば、DTX間隔)中に受信されたTPCコマンドを適用するように構成されてよい。そのような例示的方法については、後で、図8Aにおいてさらに記載する。
【００５２】
図5Bに移ると、本開示の、ネットワークエンティティおよびUEの、それぞれダウンリンク送信スケジュール556およびアップリンク送信スケジュール557が再度示されている。図5Bに示すように、TPCコマンド(たとえば、TPCコマンド523、526、および530)の内容は、ネットワークエンティティによって送信され、UEにおいて受信された1つまたは複数のパイロット信号(たとえば、パイロット信号507、510、および514)に基づいて、UEによって生成され得る。
【００５３】
本開示の一態様において、DTX期間の前にUEによって送信され、DTX期間中にネットワークエンティティによって受信された最終TPCコマンドは、DRX期間の後の次のパイロット信号送信において、DRX期間に続いて直ちにネットワークエンティティによって適用され得るか、または、いくつかの例では、TPCコマンドはネットワークエンティティによって無視される場合がある。たとえば、線560を参照すると、ネットワークエンティティは、DRX期間511に続いてすぐに、TPCコマンド526を送信電力に適用し得る。代替態様では、DRX期間511に続いてすぐにTPCコマンド526を適用する代わりに、線561を参照すると、ネットワークエンティティは、DLスロット4 503におけるパイロット信号514の送信時を開始点としてTPCコマンド526を適用することができる。さらなる代替態様では、線562を参照すると、ネットワークエンティティは、DTX期間511の後でTPCコマンド526を無視してよい。言い換えると、ネットワークエンティティがTPCコマンド526を無視する場合、ネットワークエンティティは、TPCコマンド526を受信した後でも、DTX期間511の前に使用された送信電力レベルを適用し続けてよい。
【００５４】
本開示のさらなる態様では、いくつかの事例において、ネットワークエンティティは、スロット中のダウンリンクにおける送信用にシグナリング情報(またはDCCH情報)が存在しないと判断する場合がある。そのようなシナリオにおいて、ネットワークエンティティは、ダウンリンク波形を生成することができ、波形の交代期間(たとえば、交代10ms期間)を単に削除して、波形中にDRX開口を形成すればよい。代替として、別の例では、シグナリング情報がスロット中のダウンリンクにおける送信に利用可能であるとネットワークエンティティが判断した場合、ネットワークエンティティは、ダウンリンクにおける断続送信モードをそのスロットに対して使用しなくてよい。そうではなく、ネットワークエンティティは、UEがアップリンクにおいて断続送信モードで送信中であるかどうかにかかわらず、ダウンリンクにおいてシグナリング情報を絶えず送信してよい。
【００５５】
ダウンリンクにおけるこの不断送信モードを実装するそのようなシナリオが、図6Aおよび図6Bに示されている。図5Aおよび図5Bのように、図6Aおよび図6Bは、本開示の、ネットワークエンティティのダウンリンク送信スケジュール665およびUEのアップリンク送信スケジュール667を示す。図5Aおよび図5Bのように、アップリンクにおいて送信されるTPCコマンド(たとえば、TPC620および623)ならびにダウンリンクにおいて送信されるTPCコマンド(たとえば、TPC605、608、612、および615)は、以前受信された信号(たとえば、データおよび/またはパイロット信号)の受信電力レベルに基づいて、それぞれ、UEおよびネットワークエンティティによって生成される。たとえば、図6AのDLスロット2 601において、TPCコマンド608は、線640によって示されるように、アップリンクスロット0 634においてUEによって送信されたデータ618の電力レベルに基づいて、ネットワークエンティティによって生成することができる。やはり、図5Aおよび図5Bでのように、図6Aおよび図6Bの目的のために、二点破線は、TPCコマンド値が基づく信号の送信を表す。同様に、図6Aおよび図6Bの目的のために、点線は、点線矢印が指す、送信スケジュール665または667における時点で最初に適用されるTPCコマンドの送信を表す。たとえば、図6Aに示すように、TPCコマンド608は、DLスロット2 601中にダウンリンクにおいてネットワークエンティティによって送信されてよく、UEによって受信され、ULスロット2 636中のデータ624の送信に関連付けられた送信電力に適用されてよい。
【００５６】
図6Aに移ると、図5Aとは異なり、ネットワークエンティティは、ダウンリンク送信スケジュール665に示されるように、シグナリングデータを絶えず送信する。したがって、ダウンリンク送信スケジュール665にDRX期間を挿入するよりもむしろ、ネットワークエンティティは、DLスロット3の間に信号を送信する。いくつかの態様において、これらの信号は、1つもしくは複数のTPCコマンド(たとえば、TPCコマンド658)、ダウンリンクデータ(たとえば、データ659)、および/または1つもしくは複数のパイロットビット(たとえば、パイロット660)を含み得る。ただし、図6Aおよび図6BのUEは、DTX期間627中にアップリンクにおいて信号を送信しないので、ネットワークエンティティは、電力制御が基づき得るどの信号も、このDTX期間627中にネットワークエンティティによって受信されないので、DLスロット3の間のインナーループ電力制御(ILPC)を無効化してよい。したがって、一態様において、ILPCが無効化された間隔(間隔602)中に生成および送信されるTPCコマンド658は、DTX期間627に先行するスロットにおいてUEによって送信されるデータに基づき得る。たとえば、図6Aの破線642および643によって示されるように、TPCコマンド658は、それぞれ、前のULスロット1 635および前のULスロット2 636においてUEによって送信されたデータ621および/またはデータ624の受信電力レベルに基づき得る。一態様において、ILPCが無効化されている間の間隔602は、複数のDLスロットまたは1つのDLスロットを含み得る。同様に、DTX間隔627は、シナリオに依存して、複数のULスロットまたは1つのULスロットを含み得る。
【００５７】
本開示のさらなる態様において、UEは、断続送信モードで送信中であり、したがってそのアップリンク送信スケジュール667にDTX期間627を挿入済みであるので、UEは、DTX期間627に続いて、DTX期間627中にネットワークエンティティから受信されたTPCコマンドを使用し得るか、またはこれらの受信されたTPCコマンドを単に無視すればよい。たとえば、TPCコマンド658は、DTX期間627中に、ネットワークエンティティによって送信され、UEによって受信され得る。図6Aの線645によって示されるように、UEがULスロット4 637においてアップリンクにおける送信を再開すると、UEは、TPCコマンド658の内容を適用することを選べばよい。言い換えると、あるオプションでは、UEは、前の送信電力(たとえば、ULスロット2 636中に使用された送信電力レベル)を、アップリンクにおけるデータ628の送信用に、TPCコマンド658に基づいて修正してよい。代替オプションでは、いくつかの例において、図6Aの線664によって示されるように、UEは、TPCコマンド658を単に無視してよく、代わりに、ULスロット4 637においてアップリンク送信を再開するとき、前の送信電力(たとえば、ULスロット2 636中に使用された送信電力レベル)を使用すればよい。
【００５８】
さらに、図6Bに示すように、UEがDTX期間627中にTPCコマンドを送信しないとき、ネットワークエンティティは任意選択で、間隔602中の送信用に、DTX期間627に先立って、UEによって送信されたTPCコマンドを使用してもよく、この先行TPCコマンドを無視してもよい。たとえば、TPCコマンド626は、ULスロット2 636中にUEによって送信されてよく、間隔602中にネットワークエンティティによって受信されてよい。一態様において、線674によって示されるように、ネットワークエンティティは、間隔602中でのデータ659の送信用に、TPCコマンド626の内容を行うことができる。代替として、線675によって示されるように、UEは、TPCコマンド626を受信した後、以前使用された送信電力レベル(たとえば、DLスロット601中に使用された送信電力レベル)を、DLスロット3の残りに対して維持してよい。この場合、UEは代わりに、この以前使用された送信電力レベルを、DLスロット4 603において始まるTPCコマンド626の内容に基づいて修正すればよい。
【００５９】
別の代替形態では、線676によって示されるように、いくつかの例において、ネットワークエンティティは、間隔602中にTPCコマンド626を受信し得るが、TPCコマンド626の内容を単に無視すればよい。この代替実装形態において、ネットワークエンティティは、DTX期間627の後にUEから後続TPCコマンドが受信されるまで、以前使用された送信電力レベルを使用してよい。言い換えると、一態様において、ネットワークエンティティは、線678によって示されるように、ネットワークエンティティが、アップリンクにおいてULスロット4 637中にUEによって送信されたTPCコマンド630を受信するまで、間隔602用の、DLスロット2 601、DLスロット4 603、および潜在的にはDLスロット5 604の一部分において使われる電力レベルを使用してよい。
【００６０】
図7には、(たとえば、図1の)例示的ダウンリンク送信マネージャ107が、本明細書に記載される1つまたは複数の方法またはプロセス(たとえば、図8Aのプロセス800、図8Bのプロセス814、ならびに/または図5A、図5B、図6A、および/もしくは図6Bを参照して記載した電力制御プロセス)を遂行するための複数の個別の構成要素を備えるものとして提示されている。いくつかの例において、ダウンリンク送信マネージャ107は、ダウンリンクにおける送信の送信電力制御を管理するように構成することができ、TPCコマンドは、アップリンクにおいて一時的に利用不可能である。
【００６１】
一態様において、ダウンリンク送信マネージャ107は送信構成要素702を含んでよく、構成要素702は、ダウンリンク通信チャネル上で1つまたは複数のパケットをUEに送信するように構成されてよい。そのような送信に対して、送信構成要素702は、そのような送信用に電力レベル704を維持することができる。一態様において、電力レベル704は、アップリンクにおいてUEから受信された1つまたは複数のTPCコマンドに基づいて断続的に調節することができる。言い換えると、送信構成要素702は、1つまたは複数のTPCコマンドをUEから受信した後、1つまたは複数のさらなるパケットをUEに送信するようにさらに構成することができる。
【００６２】
追加態様において、ダウンリンク送信マネージャ107は、インナーループ電力制御(ILPC)無効化構成要素706を含んでよく、構成要素706は、送信間隔中に、UE向けのインナーループ電力制御を無効化するように構成することができる。たとえば、ILPC無効化構成要素706は、送信間隔中に(TPCコマンドが、UEによって無視され得るとしても)TPCコマンドを生成および送信し、送信間隔に渡るダウンリンクにおけるTPCコマンドの送信を停止し、かつ/またはTPCコマンドを生成するが、送信間隔の完了まで、TPCコマンドを送信するのを待つように構成することができる。
【００６３】
さらに、ダウンリンク送信マネージャ107はTPCコマンド受信構成要素708を含んでよく、構成要素708は、アップリンク通信チャネルを介してUEから1つまたは複数のTPCコマンドを受信するように構成することができる。一態様において、TPCコマンド受信構成要素は、受信機、トランシーバ、または他の任意の信号受信構成要素およびそれに関連した回路要素も備え得る。さらに、ダウンリンク送信マネージャ107は電力レベル調節構成要素710を含んでよく、構成要素710は、受信されたTPCコマンドに基づいて、電力レベル704を、調節された電力レベル712に調節するように構成することができる。
【００６４】
追加態様では、ダウンリンク送信マネージャ107はダウンリンクTPCコマンド生成構成要素714を含んでよく、構成要素714は、UEのアップリンク通信の送信電力を制御するためにUEに送信され得る1つまたは複数のTPCコマンドを生成するように構成することができる。一態様において、ダウンリンクTPCコマンド生成構成要素714は、UEから受信された1つまたは複数のアップリンク送信に基づいて、1つまたは複数のダウンリンクTPCコマンドを生成するように構成することができる。
【００６５】
図8Aおよび図8Bは、ワイヤレスネットワーク環境におけるモバイル通信およびインナーループ電力制御のための例示的な方法体系800および814を提示する。たとえば、図8Aは、本明細書に記載する1つまたは複数の装置または構成要素(たとえば、図1および図7のダウンリンク送信マネージャ107)によって実施することができるブロックとして表されるステップの非限定的セットを含む、ネットワークエンティティ(たとえば、図1のネットワークエンティティ104)におけるモバイル通信のための例示的な方法体系800を提示する。一態様において、方法体系800は、ブロック802において、ある電力レベルにおいて、第1の送信間隔中にダウンリンク通信チャネル上で1つまたは複数のパケットをUEに送信することを含み得る。
【００６６】
さらに、ブロック804において、方法体系800は、第2の送信間隔に渡ってダウンリンク通信チャネル向けのインナーループ電力制御を無効化することを含み得る。いくつかの例において、第2の送信間隔は、UEが送信を停止する、アップリンク通信チャネルにおける期間と少なくとも部分的に一致し得る。したがって、ブロック804においてダウンリンク通信チャネルのインナーループ電力制御を無効化することは、第2の送信間隔の間、ダウンリンク通信チャネル上でのTPCコマンドの送信を停止することを含み得る。ただし、他の例では、インナーループ電力制御を無効化することは、TPCコマンド送信が停止されることを必ずしも含意しない場合がある。そうではなく、TPCコマンドは、ダウンリンクにおいて送信され得るが、UEによって無視されるだけである場合がある。代替として、ダウンリンク通信チャネル向けのインナーループ電力制御を無効化することは、受信されたアップリンクデータに関連付けられた前の受信電力レベルに基づいてTPCコマンドを生成するが、第2の送信間隔が完了するまで、生成されたTPCコマンドを送信するのを待つことを含み得る。
【００６７】
追加態様において、方法体系800は、ブロック806において、第2の送信間隔中に、UEから第1のTPCコマンドを受信することを含み得る。一態様では、ブロック806は、図7のTPCコマンド受信構成要素708によって実施される場合がある。一態様において、受信されたTPCコマンドは、ネットワークエンティティにおけるダウンリンク送信に関連付けられた以前使用された送信電力レベルを増大または低下するための命令を含み得る。したがって、ブロック810において、方法体系800は、第1のTPCコマンドに基づいて、電力レベルを、調節された電力レベルに調節することを含み得る。いくつかの例では、ブロック810は、図7の電力レベル調節構成要素710によって実施される場合がある。
【００６８】
追加態様において、方法体系800は、ブロック812において、調節された電力レベルで、ダウンリンク通信チャネル上でUEに1つまたは複数のパケットを送信することを含み得る。いくつかの例において、調節された電力レベルで1つまたは複数のパケットをUEに送信することは、第2の送信間隔に続く第3の送信間隔中に1つまたは複数のパケットを送信することを含み得る。代替として、TPCコマンドは、第2の送信間隔中に実施されてよい。したがって、いくつかの例において、調節された電力レベルで1つまたは複数のパケットをUEに送信することは、第2の送信間隔中に1つまたは複数のパケットを送信することを含む。一態様では、ブロック812は、図7の送信構成要素702によって実施される場合がある。
【００６９】
さらに、図8に明示的には示さないが、方法体系800は追加態様を含み得る。たとえば、方法体系800は、第1の送信間隔中に、第2のTPCコマンドを受信し、第2のTPCコマンドに基づいて、電力レベルを第2の調節された電力レベルに調節することを含み得る。さらに、方法体系800は、第2の調節された電力レベルで1つまたは複数のパケットを送信することを含み得る。
【００７０】
さらに、方法体系800は、UEがそのアップリンク送信に適用するための、ダウンリンクにおけるTPCコマンドの生成および送信を含み得る。たとえば、方法体系800は、アップリンク通信チャネルを介して、1つまたは複数のアップリンク送信をUEから受信することをさらに含み得る。いくつかの例において、これらのアップリンク送信は、アップリンクボイスデータまたは他のアップリンクデータを含み得る。さらに、方法体系800は、1つまたは複数のアップリンク送信のうちの少なくとも1つに基づいてダウンリンクTPCコマンドを生成し、ダウンリンクTPCコマンドを、第2の送信間隔中にUEに送信することを含み得る。
【００７１】
図8Bに移ると、ワイヤレスネットワーク環境におけるモバイル通信およびインナーループ電力制御のための追加方法体系814が提示されている。一態様において、方法体系814は、(アップリンク信号送信のための)UEまたは(ダウンリンク信号送信のための)ネットワークエンティティによる不連続ワイヤレス信号送信のためのインナーループ電力制御のための技法を含み得る。たとえば、方法体系814がUEまたはネットワークエンティティによって利用されるとき、UEまたはネットワークエンティティは、DTX間隔の外で算出された信号品質メトリックに基づくTPCコマンドを適用するだけでよい。言い換えると、TPCコマンドが受信されたが、そのTPCコマンドが、DTX間隔中に計算されたSNR推定値に基づく場合、受信されたTPCコマンドは無視され得る。
【００７２】
方法体系814は、ブロック816において、ある電力レベルにおいて、第1の送信間隔中に専用通信チャネル上で1つまたは複数の信号を送信することを含み得る。一態様では、ブロック816は、図3の送信構成要素308または図7の送信構成要素702によって実施される場合がある。いくつかの例において、専用通信チャネルは、DCCHまたはDPDCHを含み得るが、UEとネットワークエンティティとの間のどの専用通信チャネルであってもよい。さらに、第1の送信間隔は、UEまたはネットワークエンティティの不連続送信スケジュールにおける間隔であってよく、DTX間隔またはUEもしくはネットワークエンティティの送信機もしくは受信機が非アクティブであるどの間隔に先行してもよい。
【００７３】
さらに、方法体系814は、ブロック818において、第1の送信間隔に続くDTX間隔中に専用通信チャネル上で送信を一時停止することを含み得る。一態様では、ブロック818は、図3の送信構成要素308または図7の送信構成要素702によって実施される場合がある。さらに、方法体系814は、ブロック820において、DTX間隔中にTPCコマンドを受信することを含み得る。さらに、本開示の一態様において、DTX間隔中に受信されたTPCコマンドは、第1の送信間隔中に送信された1つまたは複数の信号のうちの少なくとも1つの品質メトリック(たとえば、SNR)に基づき得る。一態様では、ブロック820は、たとえば、以下の図9のトランシーバ910によって実施される場合がある。
【００７４】
さらに、方法体系814は、ブロック822において、TPCコマンドに基づいて、電力レベルを、調節された電力レベルに調節することを含み得る。いくつかの例において、調節された電力レベルは、以前適用された送信間隔よりも大きいか、または未満である送信電力レベル(たとえば、DTX間隔の前の最後に適用された送信電力レベル)を含み得る。一態様では、ブロック822は、図7の電力レベル調節構成要素710によって実施される場合がある。追加態様において、方法体系814は、ブロック824において、調節された電力レベルで、1つまたは複数のさらなる信号を、DTX間隔に続く第2の送信間隔中に専用通信チャネル上で送信することを含み得る。一態様では、ブロック824は、図3の送信構成要素308または図7の送信構成要素702によって実施される場合がある。
【００７５】
図9は、処理システム914を採用する装置900のためのハードウェア実装形態の一例を示す概念図である。いくつかの例において、処理システム914は、UE(たとえば、図1のUE102)もしくはUEの構成要素またはネットワークエンティティ(たとえば、ネットワークエンティティ104)もしくはその構成要素を備え得る。この例では、処理システム914は、バス902によって概略的に表されるバスアーキテクチャを用いて実装される場合がある。バス902は、処理システム914の特定の用途および全体的な設計制約に応じて、任意の数の相互接続するバスおよびブリッジを含む場合がある。バス902は、プロセッサ904によって概略的に表される1つまたは複数のプロセッサと、コンピュータ可読媒体906によって概略的に表されるコンピュータ可読媒体と、本明細書に記載された1つまたは複数の方法または手順を遂行するように構成され得るアップリンク送信マネージャ106(図1および図3参照)またはダウンリンク送信マネージャ107(図1および図7参照)とを含む様々な回路を互いにリンクさせる。一態様において、アップリンク送信マネージャ106またはダウンリンク通信マネージャ107およびその中の構成要素は、本開示に提示する機能、方法体系(たとえば、図4の方法体系400もしくは図8の800)、または方法を実施するように構成され得る、ハードウェア、ソフトウェア、またはハードウェアとソフトウェアの組合せを含み得る。
【００７６】
バス902はまた、タイミングソース、周辺機器、電圧調整器、および電力管理回路などの様々な他の回路をリンクさせることができ、これらの回路は当技術分野でよく知られており、したがってこれ以上は記載されない。バスインターフェース908は、バス902とトランシーバ910との間のインターフェースを実現する。トランシーバ910は、伝送媒体を介して様々な他の装置と通信するための手段を実現する。装置の性質に応じて、ユーザインターフェース912(たとえば、キーパッド、ディスプレイ、スピーカー、マイクロフォン、ジョイスティックなど)も設けられ得る。
【００７７】
プロセッサ904は、バス902を管理することと、コンピュータ可読媒体906上に記憶されたソフトウェアの実行を含む一般的な処理とを担当する。ソフトウェアは、プロセッサ904によって実行されると、任意の特定の装置の以下で説明する様々な機能を処理システム914に実施させる。コンピュータ可読媒体906は、ソフトウェアを実行するときにプロセッサ904によって操作されるデータを記憶するためにも使用され得る。いくつかの態様において、アップリンク送信マネージャ106またはダウンリンク送信マネージャ107に関連付けられた機能、方法体系、または方法の少なくとも一部分は、プロセッサ904および/またはコンピュータ可読媒体906によって実施または実装され得る。
【００７８】
本開示全体にわたって提示する様々な概念は、多種多様な電気通信システム、ネットワークアーキテクチャ、および通信規格にわたって実装され得る。限定ではなく例として、図10に示される本開示の態様は、W-CDMA(登録商標)エアインターフェースを使用するUMTSシステム1000を参照して示される。UMTSネットワークは、コアネットワーク(CN)1004、UMTS地上波無線アクセスネットワーク(UTRAN)1002、およびユーザ機器(UE)1010(たとえば、図1のUE102であってよい)の3つの相互作用する領域を含む。この例では、UTRAN1002は、電話、ビデオ、データ、メッセージング、放送、および/または他のサービスを含む様々なワイヤレスサービスを提供する。UTRAN1002は、無線ネットワークコントローラ(RNC)1006などのそれぞれのRNCによって各々制御される、無線ネットワークサブシステム(RNS)1007などの複数のRNSを含み得る。ここで、UTRAN1002は、本明細書で説明するRNC1006およびRNS1007に加えて、任意の数のRNC1006およびRNS1007を含むことができる。これらのRNCの各々は、図1のネットワークエンティティ104であってよい。RNC1006は、特に、RNS1007内で無線リソースを割り当て、再構成し、解放することを担当する装置である。RNC1006は、任意の適切なトランスポートネットワークを使用して、直接の物理接続、仮想ネットワークなどの様々なタイプのインターフェースを通じて、UTRAN1002内の他のRNC(図示せず)に相互接続され得る。
【００７９】
UE1010とノードB1008(図1のネットワークエンティティ104であってよい)との間の通信は、物理(PHY)レイヤおよび媒体アクセス制御(MAC)レイヤを含むものと見なされ得る。さらに、それぞれのノードB1008によるUE1010とRNC1006との間の通信は、無線リソース制御(RRC)レイヤを含むものと見なされ得る。本明細書では、PHYレイヤはレイヤ1と見なされ得、MACレイヤはレイヤ2と見なされ得、RRCレイヤはレイヤ3と見なされ得る。以下、情報は、参照により本明細書に組み込まれる無線リソース制御(RRC)プロトコル仕様、3GPP TS 25.331 v9.1.0に述べられている用語を使用する。
【００８０】
SRNS1007によってカバーされる地理的領域は、いくつかのセルに分割され、無線トランシーバ装置が各セルにサービスすることができる。無線トランシーバ装置は、通常、UMTS用途ではノードBと呼ばれるが、当業者によって、基地局(BS)、トランシーバ基地局(BTS)、無線基地局、無線トランシーバ、トランシーバ機能、基本サービスセット(BSS)、拡張サービスセット(ESS)、アクセスポイント(AP)、または何らかの他の適切な用語で呼ばれる場合もある。明快にするために、各SRNS1007に3つのノードB1008が示されているが、SRNS1007は、任意の数のワイヤレスノードBを含んでもよい。ノードB1008は、任意の数のモバイル装置に、コアネットワーク(CN)1004へのワイヤレスアクセスポイントを提供する。モバイル装置の例には、携帯電話、スマートフォン、セッション開始プロトコル(SIP)電話、ラップトップ、ノートブック、ネットブック、スマートブック、携帯情報端末(PDA)、衛星ラジオ、全地球測位システム(GPS)デバイス、マルチメディアデバイス、ビデオデバイス、デジタルオーディオプレーヤ(たとえば、MP3プレーヤ)、カメラ、ゲーム機、または任意の他の同様の機能デバイスが含まれる。モバイル装置は、通常、UMTS用途ではユーザ機器(UE)と呼ばれるが、当業者によって、移動局(MS)、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末(AT)、モバイル端末、ワイヤレス端末、リモート端末、ハンドセット、端末、ユーザエージェント、モバイルクライアント、クライアント、または何らかの他の適切な用語で呼ばれる場合もある。UMTSシステムでは、UE1010は、ネットワークへのユーザの加入情報を含むユニバーサル加入者識別モジュール(USIM)1011をさらに含む場合がある。さらに、UE1010は、本開示を通してその組立および機能性が記載されている(たとえば、図1〜図4参照)アップリンク送信マネージャ106を含み得る。説明のために、1つのUE1010がいくつかのノードB1008と通信しているように示される。順方向リンクとも呼ばれるダウンリンク(DL)は、ノードB1008からUE1010への通信リンクを指し、逆方向リンクとも呼ばれるアップリンク(UL)は、UE1010からノードB1008への通信リンクを指す。
【００８１】
コアネットワーク1004は、UTRAN1002のような、1つまたは複数のアクセスネットワークとインターフェースをとる。示されるように、コアネットワーク1004は、GSM(登録商標)コアネットワークである。しかしながら、当業者が認識するように、GSM(登録商標)ネットワーク以外のタイプのコアネットワークへのアクセスをUEに提供するために、本開示全体にわたって提示する様々な概念は、RANまたは他の適切なアクセスネットワークにおいて実装され得る。
【００８２】
コアネットワーク1004は、回線交換(CS)ドメインおよびパケット交換(PS)ドメインを含む。回線交換要素のいくつかは、モバイルサービス交換センタ(MSC)、ビジターロケーションレジスタ(VLR)、およびゲートウェイMSCである。パケット交換要素は、サービングGPRSサポートノード(SGSN)およびゲートウェイGPRSサポートノード(GGSN)を含む。EIR、HLR、VLR、およびAuCのようないくつかのネットワーク要素は、回線交換ドメインとパケット交換ドメインの両方によって共有され得る。図示の例では、コアネットワーク1004は、MSC1012およびGMSC1014によって回線交換サービスをサポートする。いくつかの適用例では、GMSC1014は、メディアゲートウェイ(MGW)と呼ばれ得る。RNC1006のような1つまたは複数のRNCが、MSC1012に接続され得る。MSC1012は、呼設定、呼ルーティング、およびUEモビリティ機能を制御する装置である。MSC1012はまた、UEがMSC1012のカバレージエリア内にある持続時間にわたって、加入者関連情報を含んでいる、ビジターロケーションレジスタ(VLR)も含む。GMSC1014は、UEが回線交換ネットワーク1016にアクセスするためのゲートウェイを、MSC1012を通じて提供する。コアネットワーク1004は、特定のユーザが加入したサービスの詳細を反映するデータなどの加入者データを含んでいる、ホームロケーションレジスタ(HLR)1015を含む。HLRは、加入者固有の認証データを含んでいる認証センタ(AuC)とも関連付けられる。特定のUE向けの呼が受信されると、GMSC1014は、UEのロケーションを決定するためにHLR1015に問い合わせ、そのロケーションにサービスする特定のMSCに呼を転送する。
【００８３】
コアネットワーク1004は、サービングGPRSサポートノード(SGSN)1018およびゲートウェイGPRSサポートノード(GGSN)1020を用いてパケットデータサービスもサポートする。汎用パケット無線サービスを表すGPRSは、標準の回線交換データサービスを用いて利用可能なものより速い速度でパケットデータサービスを提供するように設計される。GGSN1020は、パケットベースネットワーク1022へのUTRAN1002の接続を提供する。パケットベースネットワーク1022は、インターネット、プライベートデータネットワーク、または何らかの他の適切なパケットベースネットワークであり得る。GGSN1020の主要機能は、パケットベースネットワーク接続をUE1010に提供することである。データパケットは、MSC1012が回線交換領域において実施するのと同じ機能をパケットベース領域において主に実施するSGSN1018を通じて、GGSN1020とUE1010との間で転送され得る。
【００８４】
UMTSエアインターフェースは、スペクトラム拡散直接シーケンス符号分割多元接続(DS-CDMA)システムである。スペクトル拡散DS-CDMAは、チップと呼ばれる擬似ランダムビットのシーケンスとの乗算を介してユーザデータを拡散する。UMTSのW-CDMA(登録商標)エアインターフェースは、そのような直接シーケンススペクトラム拡散技術に基づいており、さらに周波数分割複信(FDD)を必要とする。FDDは、ノードB1008とUE1010との間のアップリンク(UL)およびダウンリンク(DL)に異なるキャリア周波数を使用する。DS-CDMAを利用し、時分割複信を使用するUMTS用の別のエアインターフェースは、TD-SCDMAエアインターフェースである。本明細書に記載された様々な例は、WCDMA(登録商標)エアインターフェースを参照する場合があるが、基礎をなす原理はTD-SCDMAエアインターフェースに等しく適用可能であることを、当業者なら認識されよう。
【００８５】
図11を参照すると、UTRANアーキテクチャにおけるアクセスネットワーク1100が示されている。多元接続ワイヤレス通信システムは、セル1102、1104、および1106を含む複数のセルラー領域(セル)を含み、セルの各々は、1つまたは複数のセクタを含み得る。複数のセクタは、アンテナのグループによって形成される場合があり、各アンテナはセルの一部分にあるUEとの通信を担当する。たとえば、セル1102において、アンテナグループ1112、1114、および1116は各々、異なるセクタに対応し得る。セル1104において、アンテナグループ1118、1120、および1122は各々、異なるセクタに対応する。セル1106において、アンテナグループ1124、1126、および1128は各々、異なるセクタに対応する。セル1102、1104、および1106は、いくつかのワイヤレス通信デバイス、たとえばユーザ機器またはUEを含む場合があり、それらは、各セル1102、1104、または1106の1つまたは複数のセクタと通信している場合があり、本明細書に記載するアップリンク送信マネージャ106を有する図1のUE102を表す場合がある。たとえば、UE1130および1132は、ノードB1142と通信していてもよく、UE1134および1136は、ノードB1144と通信していてもよく、UE1138および1140は、ノードB1146と通信していてもよい。ここで、各ノードB1142、1144、1146は、それぞれのセル1102、1104、および1106の中のすべてのUE1130、1132、1134、1136、1138、1140に、コアネットワーク1004(図10参照)へのアクセスポイントを提供するように構成される。
【００８６】
UE1134がセル1104における図示したロケーションからセル1106に移動するとき、サービングセル変更(SCC)またはハンドオーバが生じて、UE1134との通信が、ソースセルと呼ばれ得るセル1104からターゲットセルと呼ばれ得るセル1106に移行することがある。UE1134において、それぞれのセルに対応するノードBにおいて、無線ネットワークコントローラ1006(図10参照)において、またはワイヤレスネットワークにおける別の適切なノードにおいて、ハンドオーバ手順の管理が行われ得る。たとえば、ソースセル1104との呼の間、または任意の他の時間において、UE1134は、ソースセル1104の様々なパラメータ、ならびに、セル1106および1102などの隣接セルの様々なパラメータを監視することができる。さらに、これらのパラメータの品質に応じて、UE1134は、隣接セルのうちの1つまたは複数との通信を維持することができる。この時間中に、UE1134は、アクティブセット、すなわち、UE1134が同時に接続されるセルのリストを維持し得る(すなわち、ダウンリンク専用物理チャネルDPCHまたはフラクショナルダウンリンク専用物理チャネルF-DPCHをUE1134に現在割り当てているUTRAセルが、アクティブセットを構成し得る)。
【００８７】
アクセスネットワーク1100によって利用される変調および多元接続方式は、展開されている特定の電気通信規格に応じて異なる場合がある。例として、規格は、エボリューションデータオプティマイズド(EV-DO)またはウルトラモバイルブロードバンド(UMB)を含み得る。EV-DOおよびUMBは、CDMA2000規格ファミリーの一部として第3世代パートナーシッププロジェクト2(3GPP2)によって公表されたエアインターフェース規格であり、CDMAを利用して移動局にブロードバンドインターネットアクセスを提供する。規格は、代替として、広帯域CDMA(W-CDMA(登録商標))およびTD-SCDMAなどのCDMAの他の変形形態を採用するユニバーサル地上波無線アクセス(UTRA)、TDMAを採用するモバイル通信用グローバルシステム(GSM(登録商標))、ならびにOFDMAを採用する発展型UTRA(E-UTRA)、ウルトラモバイルブロードバンド(UMB)、IEEE802.11(Wi-Fi)、IEEE802.16(WiMAX)、IEEE802.20、およびFlash-OFDMであり得る。UTRA、E-UTRA、UMTS、LTE、LTEアドバンスト、およびGSM(登録商標)は、3GPP団体による文書に記述されている。CDMA2000およびUMBについては、3GPP2団体による文書に記載されている。利用される実際のワイヤレス通信規格および多元接続技術は、特定の適用例およびシステムに課された全体的な設計制約に依存する。
【００８８】
図12は、UE1250と通信するノードB1210のブロック図であり、ここでノードB1210は、ダウンリンク送信マネージャ107を有する図1のネットワークエンティティ104であってよく、UE1250は、アップリンク送信マネージャ106を有する図1のUE102であってよい。ダウンリンク通信では、送信プロセッサ1220は、データソース1212からデータを受信し、コントローラ/プロセッサ1240からの制御信号を受信することができる。送信プロセッサ1220は、基準信号(たとえばパイロット信号)とともに、データ信号および制御信号のための様々な信号処理機能を提供する。たとえば、送信プロセッサ1220は、誤り検出のための巡回冗長検査(CRC)コード、順方向誤り訂正(FEC)を容易にするためのコーディングおよびインターリービング、様々な変調方式(たとえば、二位相偏移変調(BPSK)、四位相偏移変調(QPSK)、M-位相偏移変調(M-PSK)、M-直角位相振幅変調(M-QAM)など)に基づく信号コンステレーションへのマッピング、直交可変拡散率(OVSF)による拡散、ならびに、一連のシンボルを生成するためのスクランブリングコードとの乗算を提供することができる。チャネルプロセッサ1244からのチャネル推定値は、送信プロセッサ1220のためのコーディング、変調、拡散、および/またはスクランブリングの方式を決定するために、コントローラ/プロセッサ1240によって使用される場合がある。これらのチャネル推定値は、UE1250によって送信された基準信号から、またはUE1250からのフィードバックから導出され得る。送信プロセッサ1220によって生成されたシンボルは、フレーム構造を作成するために、送信フレームプロセッサ1230に供給される。送信フレームプロセッサ1230は、コントローラ/プロセッサ1240からの情報でシンボルを多重化することによって、このフレーム構造を作成し、一連のフレームが得られる。次いで、これらのフレームは送信機1232に与えられ、送信機1232は、アンテナ1234を通じたワイヤレス媒体によるダウンリンク送信のために、増幅、フィルタリング、およびフレームのキャリア上への変調を含む、様々な信号調整機能を提供する。アンテナ1234は、たとえば、ビームステアリング双方向適応アンテナアレイまたは他の同様のビーム技術を含む、1つまたは複数のアンテナを含む場合がある。
【００８９】
UE1250において、受信機1254は、アンテナ1252を通じてダウンリンク送信を受信し、その送信を処理してキャリア上に変調された情報を復元する。受信機1254によって復元された情報は、受信フレームプロセッサ1260に与えられ、受信フレームプロセッサ1260は、各フレームを解析し、フレームからの情報をチャネルプロセッサ1294に与え、データ信号、制御信号および基準信号を受信プロセッサ1270に与える。受信プロセッサ1270は、次いで、ノードB1210において送信プロセッサ1220によって実施される処理の逆を実施する。より具体的には、受信プロセッサ1270は、シンボルを逆スクランブルおよび逆拡散し、次いで、変調方式に基づいて、ノードB1210によって送信された、可能性が最も高い信号コンステレーション点を決定する。これらの軟判定は、チャネルプロセッサ1294によって計算されるチャネル推定値に基づき得る。次いで、軟判定は、データ信号、制御信号、および基準信号を復元するために、復号されてデインターリーブされる。次いで、フレームが正常に復号されたかどうか判断するために、CRCコードがチェックされる。次いで、復号に成功したフレームによって搬送されたデータがデータシンク1272に与えられ、データシンク1272は、UE1250および/または様々なユーザインターフェース(たとえば、ディスプレイ)において稼働しているアプリケーションを表す。復号に成功したフレームによって搬送された制御信号は、コントローラ/プロセッサ1290に与えられる。フレームが受信機プロセッサ1270によって正常に復号されないとき、コントローラ/プロセッサ1290は、これらのフレームのための再送信要求をサポートするために、肯定応答(ACK)および/または否定応答(NACK)プロトコルを使用することもできる。
【００９０】
アップリンクでは、データソース1278からのデータおよびコントローラ/プロセッサ1290からの制御信号が、送信プロセッサ1280に提供される。データソース1278は、UE1250、および様々なユーザインターフェース(たとえば、キーボード)において稼働しているアプリケーションを表すことができる。ノードB1210によるダウンリンク送信に関して説明される機能と同様に、送信プロセッサ1280は、CRCコード、FECを容易にするためのコーディングおよびインターリービング、信号コンステレーションへのマッピング、OVSFによる拡散、および、一連のシンボルを生成するためのスクランブリングを含む、様々な信号処理機能を提供する。ノードB1210によって送信される基準信号から、または、ノードB1210によって送信されるミッドアンブル中に含まれるフィードバックから、チャネルプロセッサ1294によって導出されるチャネル推定値が、適切なコーディング、変調、拡散、および/またはスクランブリングの方式を選択するために使用され得る。送信プロセッサ1280によって生成されたシンボルは、フレーム構造を作成するために送信フレームプロセッサ1282に提供される。送信フレームプロセッサ1282は、コントローラ/プロセッサ1290からの情報でシンボルを多重化することによって、このフレーム構造を作成し、一連のフレームが得られる。次いで、これらのフレームは送信機1256に与えられ、送信機1256は、アンテナ1252を通じたワイヤレス媒体によるアップリンク送信のために、増幅、フィルタリング、およびフレームのキャリア上への変調を含む、様々な信号調整機能を提供する。
【００９１】
アップリンク送信は、UE1250において受信機機能に関して説明されたのと同様の方式で、ノードB1210において処理される。受信機1235は、アンテナ1234を通じてアップリンク送信を受信し、その送信を処理してキャリア上へ変調された情報を復元する。受信機1235によって復元された情報は、受信フレームプロセッサ1236に与えられ、受信フレームプロセッサ1236は、各フレームを解析し、フレームからの情報をチャネルプロセッサ1244に与え、データ信号、制御信号および基準信号を受信プロセッサ1238に与える。受信プロセッサ1238は、UE1250において送信プロセッサ1280によって実施される処理の逆を実施する。復号に成功したフレームによって搬送されたデータおよび制御信号は、次いで、それぞれデータシンク1239およびコントローラ/プロセッサに与えられ得る。受信プロセッサによるフレームの一部の復号が失敗した場合、コントローラ/プロセッサ1240はまた、肯定応答(ACK)プロトコルおよび/または否定応答(NACK)プロトコルを使用して、これらのフレームの再送信要求をサポートし得る。
【００９２】
コントローラ/プロセッサ1240および1290は、それぞれノードB1210およびUE1250における動作を指示するために使われ得る。たとえば、コントローラ/プロセッサ1240および1290は、タイミング、周辺インターフェース、電圧調整、電力管理、および他の制御機能を含む様々な機能を提供することができる。メモリ1242および1292のコンピュータ可読媒体は、それぞれ、ノードB1210およびUE1250のためのデータおよびソフトウェアを記憶することができる。ノードB1210におけるスケジューラ/プロセッサ1246は、リソースをUEに割り振り、UE用のダウンリンク送信および/またはアップリンク送信をスケジュールするために使用され得る。
【００９３】
電気通信システムのいくつかの態様が、HSPAシステムを参照して提示されてきた。当業者が容易に諒解するように、本開示全体にわたって説明する様々な態様は、他の電気通信システム、ネットワークアーキテクチャ、および通信規格に拡張され得る。
【００９４】
例として、様々な態様は、W-CDMA(登録商標)、TD-SCDMA、高速ダウンリンクパケットアクセス(HSDPA)、高速アップリンクパケットアクセス(HSUPA)、高速パケットアクセスプラス(HSPA+)、およびTD-CDMAなどの、他のUMTSシステムに拡張され得る。様々な態様はまた、(FDD、TDD、もしくは両方のモードの)ロングタームエボリューション(LTE)、(FDD、TDD、もしくは両方のモードの)LTEアドバンスト(LTE-A)、CDMA2000、エボリューションデータオプティマイズド(EV-DO)、ウルトラモバイルブロードバンド(UMB)、IEEE802.11(Wi-Fi)、IEEE802.16(WiMAX)、IEEE802.20、ウルトラワイドバンド(UWB)、Bluetooth(登録商標)、および/または他の適切なシステムを採用するシステムに拡張され得る。採用される実際の電気通信規格、ネットワークアーキテクチャ、および/または通信規格は、特定の用途、およびシステムに課される全体的な設計制約に依存する。
【００９５】
本開示の様々な態様によれば、要素または要素の一部分または要素の組合せは、1つまたは複数のプロセッサを含む「処理システム」で実装され得る。プロセッサの例としては、マイクロプロセッサ、マイクロコントローラ、デジタル信号プロセッサ(DSP)、フィールドプログラマブルゲートアレイ(FPGA)、プログラマブル論理デバイス(PLD)、ステートマシン、ゲート論理、個別ハードウェア回路、および本開示全体にわたって説明される様々な機能を実施するように構成された他の適切なハードウェアがある。処理システム内の1つまたは複数のプロセッサは、ソフトウェアを実行し得る。ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能等を意味するように広く解釈されるべきである。ソフトウェアは、コンピュータ可読媒体上に存在し得る。コンピュータ可読媒体は、非一時的コンピュータ可読媒体であり得る。非一時的コンピュータ可読媒体は、例として、磁気記憶デバイス(たとえば、ハードディスク、フロッピー(登録商標)ディスク、磁気ストリップ)、光ディスク(たとえば、コンパクトディスク(CD)、デジタル多目的ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、取り外し可能ディスク、ならびに、コンピュータがアクセスしかつ読み取ることができるソフトウェアおよび/または命令を記憶するための任意の他の適切な媒体を含む。コンピュータ可読媒体には、例として、搬送波、送信路、ならびに、コンピュータがアクセスし読み取ることができるソフトウェアおよび/または命令を送信するための任意の他の適切な媒体も含まれ得る。コンピュータ可読媒体は、処理システム中に存在し、処理システムの外部に存在し、または処理システムを含む複数のエンティティにわたって分散され得る。コンピュータ可読媒体は、コンピュータプログラム製品において具体化され得る。例として、コンピュータプログラム製品は、パッケージング材料内のコンピュータ可読媒体を含み得る。当業者は、特定の適用例および全体的なシステムに課された設計制約全体に応じて、本開示全体にわたって提示する説明した機能を最善の形で実装する方法を認識されよう。
【００９６】
開示した方法におけるステップの特定の順序または階層は例示的なプロセスの例示であることを理解されたい。設計の選好に基づいて、方法におけるステップの特定の順序または階層が再構成可能であることを理解されたい。添付の方法クレームは、様々なステップの要素を例示的な順序で提示したものであり、クレーム内で明記していない限り、提示した特定の順序または階層に限定されるように意図されているわけではない。
【００９７】
前述の説明は、あらゆる当業者が本明細書において説明される種々の態様を実践できるようにするために与えられる。これらの態様の種々の変更は、当業者に容易に明らかになり、本明細書において規定される一般原理は、他の態様に適用することもできる。したがって、請求項は本明細書で示す態様に限定されるよう意図されているわけではなく、請求項の文言と整合するすべての範囲を許容すべきであり、単数の要素への言及は、そのように明記されていない限り、「唯一無二の」ではなく、「1つまたは複数の」を意味するよう意図されている。別段に明記されていない限り、「いくつかの」という用語は「1つまたは複数の」を指す。項目のリスト「のうちの少なくとも1つ」について言及する句は、単一のメンバーを含むこれらの項目の任意の組合せを指す。一例として、「a、b、またはcのうちの少なくとも1つ」は、a、b、c、aおよびb、aおよびc、bおよびc、ならびにa、bおよびcを含むことが意図される。当業者に知られている、または後に知られるようになる、本開示全体にわたって説明する様々な態様の要素の構造的および機能的な均等物のすべては、参照により本明細書に明確に組み込まれ、特許請求の範囲によって包含されるように意図されている。さらに、本明細書で開示するいかなる内容も、そのような開示が特許請求の範囲で明示的に記載されているかどうかにかかわらず、公に供することは意図されていない。請求項のいかなる要素も、「のための手段」という句を使用して要素が明示的に列挙されていない限り、または方法クレームの場合、「のためのステップ」という句を使用して要素が列挙されていない限り、米国特許法第112条第6項または米国特許法第112条(f)の規定の下で解釈されるべきではない。
【符号の説明】
【００９８】
100  システム
102  UE
104  ネットワークエンティティ
106  アップリンク送信マネージャ
107  ダウンリンク送信マネージャ
108  アップリンク通信チャネル
110  ダウンリンク通信チャネル
202  シグナリングデータ
204  ボイスパケット1
206  ボイスパケット2
208  圧縮ボイスパケット1
210  圧縮ボイスパケット2
212  圧縮シグナリングデータ
214  多重化パケット
216  第1のサブパケット
218  第2のサブパケット
300  ボイスパケット圧縮構成要素、構成要素
302  シグナリングデータ圧縮構成要素、構成要素
304  多重化構成要素、構成要素
306  パケット分裂構成要素、構成要素
308  送信構成要素、構成要素
310  送信電力制御(TPC)コマンド生成構成要素、構成要素
501  DLスロット2
503  DLスロット4
505  TPC
506  データ
507  パイロット信号
508  TPC、TPCコマンド
509  データ
510  パイロット信号
511  DRX期間
512  TPC、TPCコマンド
514  パイロット信号
515  TPC
518  データ
521  データ、データ信号
523  TPC
524  データ、データ信号
526  TPC、TPCコマンド
527  DTX期間、DTX間隔
528  データ
530  TPC
533  TPC
534  アップリンクスロット0
535  ULスロット1
536  ULスロット2
556  ダウンリンク送信スケジュール、送信スケジュール
557  アップリンク送信スケジュール、送信スケジュール
601  DLスロット2、DLスロット
602  間隔
603  DLスロット4
604  DLスロット5
605  TPC
608  TPC、TPCコマンド
612  TPC
615  TPC
618  データ
620  TPC
621  データ
623  TPC
624  データ
626  TPCコマンド
627  DTX期間
628  データ
630  TPCコマンド
634  アップリンクスロット0
635  ULスロット1
636  ULスロット2
637  ULスロット4
658  TPCコマンド
659  データ
660  パイロット
665  ダウンリンク送信スケジュール、送信スケジュール
667  アップリンク送信スケジュール、送信スケジュール
702  送信構成要素
706  インナーループ電力制御(ILPC)無効化構成要素
708  TPCコマンド受信構成要素
710  電力レベル調節構成要素
714  ダウンリンクTPCコマンド生成構成要素
900  装置
902  バス
904  プロセッサ
906  コンピュータ可読媒体
908  バスインターフェース
910  トランシーバ
912  ユーザインターフェース
914  処理システム
1000  UMTSシステム
1002  UMTS地上波無線アクセスネットワーク(UTRAN)
1004  コアネットワーク(CN)
1006  無線ネットワークコントローラ(RNC)
1007  無線ネットワークサブシステム(RNS)
1008  ノードB
1010  ユーザ機器(UE)
1011  ユニバーサル加入者識別モジュール(USIM)
1012  MSC
1014  GMSC
1015  ホームロケーションレジスタ(HLR)
1016  回線交換ネットワーク
1018  サービングGPRSサポートノード(SGSN)
1020  ゲートウェイGPRSサポートノード(GGSN)
1022  パケットベースネットワーク
1100  アクセスネットワーク
1102  セル
1104  セル、ソースセル
1106  セル
1112  アンテナグループ
1114  アンテナグループ
1116  アンテナグループ
1118  アンテナグループ
1120  アンテナグループ
1122  アンテナグループ
1124  アンテナグループ
1126  アンテナグループ
1128  アンテナグループ
1130  UE
1132  UE
1134  UE
1136  UE
1138  UE
1140  UE
1142  ノードB
1144  ノードB
1146  ノードB
1210  ノードB
1212  データソース
1220  送信プロセッサ
1230  送信フレームプロセッサ
1232  送信機
1234  アンテナ
1235  受信機
1236  受信フレームプロセッサ
1238  受信プロセッサ
1239  データシンク
1240  コントローラ/プロセッサ
1244  チャネルプロセッサ
1246  スケジューラ/プロセッサ
1250  UE
1252  アンテナ
1254  受信機
1256  送信機
1260  受信フレームプロセッサ
1270  受信プロセッサ
1272  データシンク
1278  データソース
1280  送信プロセッサ
1282  送信フレームプロセッサ
1290  コントローラ/プロセッサ
1294  チャネルプロセッサ
【図１】
2017502569.tif 000003
【図２】
2017502569.tif 000004
【図３】
2017502569.tif 000005
【図４】
2017502569.tif 000006
【図５Ａ】
2017502569.tif 000007
【図５Ｂ】
2017502569.tif 000008
【図６Ａ】
2017502569.tif 000009
【図６Ｂ】
2017502569.tif 000010
【図７】
2017502569.tif 000011
【図８Ａ】
2017502569.tif 000012
【図８Ｂ】
2017502569.tif 000013
【図９】
2017502569.tif 000014
【図１０】
2017502569.tif 000015
【図１１】
2017502569.tif 000016
【図１２】
2017502569.tif 000017
【国際調査報告】
2017502569.tif 000018
2017502569.tif 000019
2017502569.tif 000020
2017502569.tif 000021